(57)【要約】【課題】化粧品の使用が進んで残り少なくなった時に化粧品自体が脆く崩れやすくなっても、それが収納皿から剥離することの無い収納皿とし、スポンジパフをいためてしまうことのない化粧品収納皿とする。【解決手段】内部に化粧品を収納固定してコンパクトなどの外装容器に収納される化粧品収納皿において、底面を細かな凹凸のある段差形状に形成すると共に、収納皿の外周に行くにしたがって段差が大きくなるように構成したことで解決する。【選択図】図１
2011055914.tif 000002
【特許請求の範囲】
【請求項１】
内部に化粧品を収納固定してコンパクトなどの外装容器に収納される化粧品収納皿において、底面を細かな凹凸のある段差形状に形成すると共に、収納皿の外周に行くにしたがって段差が大きくなるように構成したことを特徴とする化粧品収納皿。
【請求項２】
内部に化粧品を収納固定してコンパクトなどの外装容器に収納される化粧品収納皿において、中央部を除く底面を細かな凹凸のある段差形状に形成すると共に、収納皿の外周に行くにしたがって段差が大きくなるように構成したことを特徴とする化粧品収納皿。
【発明の詳細な説明】
【技術分野】
【０００１】
本発明は、化粧用コンパクトに収納固定される収納皿に関するものである。
【背景技術】
【０００２】
従来のコンパクトなどの外装容器に収納される化粧品収納皿は主に薄肉金属材を所定形状にプレス加工したものが使用され、その内部に固形化された化粧品を収納固定し、その内底面形状はほとんど平らに構成されていた。
【０００３】
しかし、このように構成された従来の化粧品収納皿は収納された化粧品が収納皿に密着しづらく、特に使用が進んで化粧品の残りが少なくなった時には化粧品自体が脆く崩れやすくなってしまい、それによって収納皿から剥離しやすくなるという欠点があった。
【０００４】
一般的にこの手の化粧品はスポンジパフで中央部から使われることが多く、まず中央部の収納皿底面が露出するものであるが、そうなった時に底角に残った化粧品が剥離しやすくなる。
【０００５】
この改善策として、実開昭５８−１１５１０６号のように収納皿内面全域をコーティングにより梨地とするという考えもあるが、中央部の底面が露出するまでは化粧品が使用されたときに、底角部にだけ強い密着が求められるものであるが実開昭５８−１１５１０６号では梨地は均一なものであるのでそのようにはならず、さらにいたずらに梨地を強くした場合には中央部の底面が露出するまで化粧品を使い進めると梨地がスポンジパフと当たって引っ掛かり、またスポンジパフをいためてしまうことになり、さらに底部に残った化粧品が梨地内に入り込んで化粧品を取り出しづらくなるという欠点がある。
【先行技術文献】
【特許文献】
【０００６】
【特許文献１】実開昭５８−１１５１０６号公報
【発明の概要】
【発明が解決しようとする課題】
【０００７】
本発明は以上のような従来の欠点に鑑み、使用が進んで残り少なくなった時に化粧品自体が脆く崩れやすくなっても、それが収納皿から剥離することの無い化粧品収納皿を提供することを目的としている。
【０００８】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【０００９】
上記課題を解決するため、本発明は、使用が進んで残り少なくなった時に化粧品自体が脆く崩れやすくなっても、それが収納皿から剥離することの無い化粧品収納皿とするため、底面を細かな凹凸のある段差形状に形成すると共に、収納皿の外周に行くにしたがって段差が大きくなるように構成したことを最も主要な特徴とする。
【発明の効果】
【００１０】
本発明は以上説明したように構成されているので、以下に記載されるような効果を奏する。
【００１１】
底面を細かな凹凸のある段差形状に形成すると共に、収納皿の外周に行くにしたがって段差が大きくなるように構成しているので、使用が進んで残り少なくなった時に化粧品自体が脆く崩れやすくなっても、それが収納皿から剥離することの無い化粧品収納皿とすることができる。
【００１２】
収納皿の中央部の底面が露出するまで化粧品を使い進めるても中央部は段差が低く、又は形成されていないので、段差とスポンジパフと当たって引っ掛かることが少なく、底角部に残った化粧品が取り出しづらいということが無い。
【図面の簡単な説明】
【００１３】
【図１】図１は発明の断面図である。（実施例１）
【図２】図２は発明の収納皿の断面図である。（実施例１）
【図３】図３は発明の化粧品が減った時の断面図である。（実施例１）
【図４】図４は発明の断面図である。（実施例２）
【図５】図５は発明収納皿の断面図である。（実施例２）
【図６】図６は発明の化粧品が減った時の断面図である。（実施例２）
【発明を実施するための形態】
【００１４】
使用が進んで残り少なくなった時に化粧品自体が脆く崩れやすくなっても、それが収納皿から剥離することの無い化粧品収納皿とするという目的を、底面を細かな凹凸のある段差形状に形成すると共に、収納皿の外周に行くにしたがって段差が大きくなるように構成したことで実現した。
【実施例１】
【００１５】
以下、図面に示す実施例により本発明を詳細に説明する。
図１ないし図２に示す発明の第１の実施例において、１はアルミ材あるいはプラスチック材で形成された収納皿で、この収納皿１は内部にはファンデーション、アイシャドウなどの化粧品２が収納固定されている。
【００１６】
３は収納皿１を収納するコンパクトケースで、このコンパクトケース３は収納皿１を直接収納する収納室４が形成された下枠５とその下枠５を開閉可能に覆う上枠６とで構成されている。
【００１７】
７は収納皿１の下面に加工された細かな凹凸のある段差で、この段差形状７は収納皿１の中央部での段差（Ａ）よりも外周部の段差（Ｂ）が大きくなるように形成されているもので、中央から外周部に行くにしたがって徐々に段差が大きくなるものである。
【００１８】
図３は化粧用２が少なくなった状態で、このように収納皿１の底面が露出するようになっても底角部は大きな段差がついているので底角部の化粧品２は収納皿１から剥離することなく、また段差形状７とスポンジパフが当たって引っ掛かることが少なく、底角部に残った化粧品２が取り出しづらいということも防止できる。
【実施例２】
【００１９】
次に本発明の異なる実施例につき説明する。なお、これらの説明にあたって前記発明の第１の実施例と同一構成部分には同一符号を付して重複する説明を省略する。
【００２０】
図４ないし図６に示す発明の第２の実施例において、前記発明の第１の実施例と主に異なる点は、収納皿１Ａでこの収納皿１Ａは中央部を除く底面を中央から外周部に行くにしたがって徐々に段差が大きくなる細かな凹凸のある段差形状７に形成するもので、このような収納皿１Ａとすることで中央部では段差形状７とスポンジパフが当たって引っ掛かるということを完全に防止することができる。
【産業上の利用可能性】
【００２１】
形状としても従来とほとんど代わらないものとすることができ、従来のコンパクトなどの外装容器にもそのままセットして使用することができる。
【符号の説明】
【００２２】
１、１Ａ    収納皿
２    化粧品
３    コンパクトケース
４    収納室
５    下枠
６    上枠
７    段差形状
【図１】
2011055914.tif 000003
【図２】
2011055914.tif 000004
【図３】
2011055914.tif 000005
【図４】
2011055914.tif 000006
【図５】
2011055914.tif 000007
【図６】
2011055914.tif 000008